(57)【要約】【課題】クリーンルーム及び食品工場等の清浄な環境を保持する施設に配備ざれる靴底洗浄装置であって、靴底の汚れを確実に除去することができる洗浄装置を提供する。【解決手段】基体１内に配置された液槽１２にブラシ板６をほぼ水平に保持し、ブラシ板６の上部にグリーチング７を設けて靴底を載置し、洗浄を行う。ブラシ板６は、支持部材２９が基体１の回動軸を中心に往復揺動することで、水平に保持されたまま往復揺動するとともに上下動を行うため、ブラシ６０が靴底の溝に十分入り込み、洗浄効果を高めることができる。【選択図】　　　　図２
2004024623.tif 000002
【特許請求の範囲】
【請求項１】
基体と、前記基体上に配置されるとともに洗浄液を貯留する液槽と、前記液槽内にほぼ水平に配置されるとともに上面に多数のブラシを前記洗浄液に浸漬した状態で植設した板状体と、前記板状体の対向する側面に一方の端部を取り付けて回動自在に保持するとともに他方の端部を前記基体に回動自在に取り付けた複数の支持体と、前記基体に対する前記支持体の回動軸を中心として前記板状体をその前記側面の長手方向に往復揺動させる駆動手段と、前記板状体の上方に配置されるとともに前記支持体の往復揺動に伴って前記ブラシが往復揺動可能な開口部を多数設けた枠体とを有し、前記ブラシが往復揺動する際に前記枠体の上面から突出した部分で前記枠体上に載置された靴底を洗浄することを特徴とする靴底洗浄装置。
【発明の詳細な説明】
【０００１】
【発明の属する技術分野】
本発明は、クリーンルーム又は食品製造工場等の清浄な環境を保つ必要のある施設に配備される靴底洗浄装置に関する。
【０００２】
【従来の技術】
近年半導体製造技術などの微細加工を行うための生産設備では、埃などの汚染物質を排除するためにクリーンルームを設置しており、クリーンルーム内へ人間が入るために様々な洗浄装置が設けられている。特に、靴は一番汚れが付着しやすい部分であり、入念な洗浄が必要となる。また、食品製造工場へ入る場合にも衛生上の観点から靴を洗浄することが行われている。その他にもゴルフ場などのスポーツ施設では、室内に入る際に運動靴に付着した泥など落とすための設備が備えられている。このように、様々な施設において室内へ入る際に靴の洗浄が行われており、そのために様々な靴底洗浄装置が提案されている。例えば、特開平８−１０３４０９号公報には、回転軸の回りにブラシを植設した回転ブラシを複数配列し、その上にグレーチングを置いてグレーチング上に靴を履いたまま人間が乗った状態で回転ブラシを回転させて靴底を洗浄する点が記載されている。また、特開平８−１８７１０９号公報には、多数のブラシを植設したブラシ板を前後左右に水平振動させてブラシ板の上部に置かれた支持台上の靴底を洗浄する点が記載されている。また、特許第２９２０７５８号公報には、無端ベルトにブラシを植設したブラシベルトをその上部に置かれたグレーチング部材の格子棒と同方向に走行させてグレーチング部材上の靴底を洗浄する点が記載されている。また、実開平４−２８８６５号公報には、ブラシを左右に回動させてブラシ上に置かれた靴底を洗浄する点が記載されている。
【０００３】
【発明が解決しようとする課題】
上述した従来の靴底洗浄装置装置は、いずれもブラシは一定の位置で保持されて上下動することはない。そのため、洗浄動作を続けていくと、ブラシが摩耗したり、寝てきたりして洗浄効果が落ちてくる。例えば、回転ブラシの場合一定方向に回転しているので、洗浄動作を続けていくと、回転方向と逆方向にブラシが寝てくるため、靴底の溝へのブラシが十分に入り込まなくなる。さらに、洗浄動作を続けると、ブラシ自体が摩耗して短くなって、靴底の溝へ届かなくなる。ブラシ板を用いて水平に振動させる場合や無端ベルトを用いた場合も同様にブラシが寝てきたり、摩耗したりして靴底の溝へ十分に入り込まなくなる。本発明は、こうした従来の靴底洗浄装置の難点に鑑み、確実に靴底を洗浄するとともに長期間に亙って洗浄効果を維持する靴底洗浄発生装置を提供することを目的とするものである。
【０００４】
【課題を解決するための手段】
本発明に係る靴底洗浄装置は、基体と、前記基体上に配置されるとともに洗浄液を貯留する液槽と、前記液槽内にほぼ水平に配置されるとともに上面に多数のブラシを前記洗浄液に浸漬した状態で植設した板状体と、前記板状体の対向する側面に一方の端部を取り付けて回動自在に保持するとともに他方の端部を前記基体に回動自在に取り付けた複数の支持体と、前記基体に対する前記支持体の回動軸を中心として前記板状体をその前記側面の長手方向に往復揺動させる駆動手段と、前記板状体の上方に配置されるとともに前記支持体の往復揺動に伴って前記ブラシが往復揺動可能な開口部を多数設けた枠体とを有し、前記ブラシが往復揺動する際に前記枠体の上面から突出した部分で前記枠体上に載置された靴底を洗浄することを特徴とする。
【０００５】
上記のような構成を有することで、上面に多数のブラシを植設した板状体が往復揺動する際に複数の支持体が基体の回動軸を中心に回動するので板状体が上下動するようになる。板状体が往復揺動しながら上下動すると、枠体上の靴底の溝にブラシが十分に入り込み、洗浄効果が向上するとともに、往復揺動するのでブラシの先端が両方向に振られてより洗浄効果が高まり、さらに洗浄動作を続けてもブラシが寝てくることは軽減される。また、洗浄動作を続けてブラシが摩耗して短くなっても板状体が上下動するので、洗浄効果がそれほど落ちることはない。
【０００６】
【発明の実施の形態】
以下、本発明に係る実施形態について詳しく説明する。図１は、靴底洗浄装置の全体図を示したものである。矩形状で四辺を外枠１１で囲まれた基体１の内部には、にモータ等の駆動機構を収納する収納ボックス２、液槽に洗浄液を供給する供給タンク３、洗浄後に靴に付着した洗浄液を除去するための吸水マット５、液槽、ブラシ板６及び洗浄する靴を載置するグリーチング７が配置されている。そして、基体１の外枠１１には、断面コ字状のカバー部材８、９が基体１の内側に向かって庇状に取り付けられている。カバー部材８は、グリーチング７を囲むように取り付けられており、カバー部材９は吸水マット５を囲むように取り付けられている。基体１には、コ字状の手摺４が設けられており、手摺４の端部は外枠１１の両側に取付部材により固定されている。基体１の底部には、支持脚１０がその四隅に固定されており、基体１が水平になるように支持している。
【０００７】
図２は、図１の平面図で、収納ボックス２、カバー部材８，９を除いて内部構造が見えるようにしてしたものである。図３は、図２の平面図でＡ−Ａ方向から見た正面図であり、図４は、図２の平面図でＢ−Ｂ方向から見た側面図である。。内部構造が理解しやすいように外枠１１は除かれている。平面視矩形状でほぼ同じ深さに形成された液槽１２が収納ボックス２及び外枠１１の間に配置されており、液槽１２の外枠１１に沿った辺部はカバー部材８に固定され、対向する辺部は収納ボックス２に固定されて支持されている。液槽１２内には矩形で板状のブラシ板６が収納されており、ブラシ板６には後述する支持体２８が対向する側面に２個ずつ計４個設けられており、これらの支持体２８によってブラシ板６はほぼ水平に保持されている。ブラシ板６の上面には、図２に示すように、支持体２８の支持取付部材３０が取り付けられた側面に平行に配列された複数のブラシ６０が多数列植設されている。ブラシ列の間には、洗浄液をブラシ板６の上面に流動させるための多数の貫通穴６１が穿設されている。ブラシ６０は、所定の長さに切断された多数のナイロン糸が密集したもので、すべて同じ高さになるように長さが揃えられている。ブラシ板６の上方にはグリーチング７が配置されており、グリーチング７は、液槽１２の四隅に設けられた支持部１３上に載置されている。グリーチング７は、支持部１３に載置される矩形状の支持枠に格子状に多数の細長い棒体が形成されており、細長い棒体はブラシ板６の支持体２８が取り付けられた側面に平行に所定の間隔を置いて多数形成されている。したがって、多数の棒体の間には、多数の開口部が形成され、開口部にはブラシ板６の多数のブラシ列が突出して配置されるようになっている。そして、液槽１２内に貯留された洗浄液の液面は、グリーチング７の上面よりわずかに下がった位置に設定することが好ましい。液面をこの位置に設定しておくと、ブラシ板６のブラシが常に洗浄液に浸漬した状態になり、ブラシが靴底を洗浄する際に洗浄液が靴底に十分供給されて洗浄効果をより向上させることができる。洗浄液は、水の他に洗剤や殺菌剤を加えることで靴底をより清浄にすることが可能となる。
【０００８】
供給タンク３は、供給管３１により液槽１２と接続されており、供給タンク３を液槽１２より高い位置に配置しておくことで、液槽１２内に貯留された洗浄液が洗浄等により少なくなり、液面が下がるとその分だけ供給タンク３から洗浄液が供給されるようになっている。その具体的な実施例を図５に示す。この例では、供給タンク３が着脱自在となっており、上部の取っ手３４を把持して上方向に持ち上げることで取り外すことができる。基体１には、供給管３１と連通した供給口３９が設けられており、供給タンク３を装着する際には、この供給口３９に供給タンク３の開口部３５を装着する。開口部３５には、キャップ３６が螺着されており、キャップ３６には連通孔３７が穿設され、連通孔３７を開閉する弁部材３８がキャップ３６に上下動自在に挿通されている。開口部３５が供給口３９に装着されると、弁部材３８の先端部が供給口３９に当接して上方に移動し、弁部材３８が連通孔３７を開くようになる。連通孔３７が開くと、供給タンク内３の洗浄液が供給口３９を通り、供給管３１から液槽１２に供給されることになる。そして、液槽１２内の洗浄液の液面と供給口３９内の液面は同一レベルで上昇し、キャップ３６の下面が浸漬した状態になると、連通孔３７から空気が供給タンク３内に入らなくなり、液面の上昇が止まる。液槽１２内の洗浄液の減少により水位が下がると供給口３９内の水位も下がるため、連通孔３７から空気が供給されて再び洗浄液が供給される。したがって、供給タンク３の開口部３５と供給口３９との装着位置を液槽１２の設定水位に合せて設定すれば、常にその設定水位を保つことができる。
【０００９】
また、液槽１２にはその底部に排出管３２が接続されており、液槽１２内の洗浄液は定期的にバルプ３３を開いてすべて外部に排出される。洗浄液の供給装置については、この実施形態に限らず、従来用いられている供給装置を適宜採用することができる。吸水マット５は、吸水性があり、かつ保水性の良好な材料を矩形状のシートに形成したもので、洗浄後の靴を載置したときに靴底の洗浄液を吸収するとともに外部に漏れないよう保持する。
【００１０】
モータ１９の駆動軸には駆動プーリー２０が固定されており、回転軸２２に固定された従動プーリー２３と駆動プーリー２０との間には無端ベルト２１が懸架されている。回転軸２２は、ほぼ水平に保持され、ブラシ板６の支持体が取り付けられた側面とほぼ直交する方向に配置されており、その両端部は軸受２５により回転自在に保持されている。軸受２５は軸受台２４に固定されており、軸受台２４は基体１の底部に固定されている。回転軸２２の両端は軸受２５から突出しており、その先端には円板２６の中心が固定されている。揺動体２７は、２つの取付部材２７ａ及び調整部材２７ｂからなり、ブラシ板６を支持する支持体２８は、支持部材２９及び支持取付部材３０からなっている。一方の取付部材２７ａは円板２６に偏心して回動自在に取り付けられており、他方の取付部材２７ａは支持部材２９の中間部に回動自在に取り付けられている。調整部材２７ｂは２つの取付部材２７ａに穿設された嵌合部に両端を嵌め込んで固定されており、円板２６に取り付けた取付部材２７ａの回動軸が円板２６の中心から上下に伸びた直線上に位置したときに支持部材２９が基体１の底部に対してほぼ垂直な状態となるように揺動体２７の長さを調整する。支持部材２９は、その下端部が基体１の底部に突設した支持台１４に回動自在に軸支されており、上端部には支持取付部材３０の下方に延設された一端部が回動自在に軸支されている。支持取付部材３０は、図４に示すように、下方に延設された一端部から液槽１２の上方を通り液槽１２内に下方に伸びており、他端部がブラシ板６に固定されている。支持取付部材３０は、このような形状になっているので、液槽１２を貫通することなく、ブラシ板６を作動させることができる。モータ１９の回転を制御する制御装置４０がモータ１９に隣接して配置されており、回転軸２２のほぼ中央の上方にはグリーチング７に靴が載置されたことを検知する検知器４１が設けられている。検知器４１は、靴が載置されたのを例えば光学的に検知するようにすればよい。
【００１１】
次にその動作について説明する。靴がグリーチング７に載置されると、その存在を検知器４１が検知して制御装置４０に検知信号が送信される。検知信号が送信されると、制御装置４０はモーター１９の駆動信号を出力してモータ１９の回転が開始される。モータ１９が回転すると、駆動プーリー２０が回転し無端ベルト２１、プーリー２３を介して回転軸２２が回転する。回転軸が回転すると、その両端に固定された円板２６が回転し、円板２６に偏心して回動自在に取り付けられた揺動体２７が回転に同期して往復揺動運動を行うようになる。この往復揺動運動に従動して支持体２８は往復揺動するが、支持部材２９が支持台１４に軸支されているため、支持部材２９はその軸を中心に往復回動する。その様子を図３に一点鎖線で示している。そして、支持部材２９の往復回動運動に従動して支持取付部材３０も往復揺動するが、支持取付部材３０の一端部は支持部材２９に回動自在に軸支され、他端部をブラシ板６に固定されており、４箇所でブラシ板６を保持していることから、ブラシ板６はほぼ水平に保持されたまま往復揺動する。その際、支持部材２９が基体１の底部に対してほぼ垂直に位置したときにブラシ板６は最も高い位置に上昇し、支持部材２９が基体１の底部に対して最も傾斜した位置にきたときにブラシ板６は最も低い位置に下降するように上下にも運動するようになる。その様子を図５に示している。このように、ブラシ板６が往復揺動する際に上下運動も加味されることから、ブラシ板６上に植設されたブラシが靴底の溝に十分入り込んで洗浄することができる。
【００１２】
【発明の効果】
以上に説明したとおり、本発明に係る靴底洗浄装置は、上面に多数のブラシを植設した板状体が往復揺動する際に複数の支持体が基体の回動軸を中心に回動するので板状体が上下動するようになる。板状体が往復揺動しながら上下動すると、枠体上の靴底の溝にブラシが十分に入り込み、洗浄効果が向上するとともに、往復揺動するのでブラシの先端が両方向に振られてより洗浄効果が高まり、さらに洗浄動作を続けてもブラシが寝てくることは軽減される。また、洗浄動作を続けてブラシが摩耗して短くなっても板状体が上下動するので、ブラシが靴底に届き洗浄効果を長期間維持することができる。
【図面の簡単な説明】
【図１】本発明に係る実施形態の斜視図である。
【図２】本発明に係る実施形態の平面図である。
【図３】本発明に係る実施形態の正面図である。
【図４】本発明に係る実施形態の側面図である。
【図５】供給タンクから洗浄液を供給する供給経路を説明した図である。
【図６】本発明に係る実施形態の動作を示した図である。
【符号の説明】
１　　基体
２　　収納ボックス
３　　供給タンク
４　　手摺
５　　吸水マット
６　　ブラシ板
７　　グリーチング
８　　カバー部材
９　　カバー部材
１０　　支持脚
１１　　外枠
１２　　液槽
１３　　支持部
１４　　支持台
１９　　モータ
２０　　駆動プーリー
２１　　無端ベルト
２２　　回転軸
２３　　従動プーリー
２４　　軸受台
２５　　軸受
２６　　円板
２７　　揺動体
２７ａ　　　取付部材
２７ｂ　　　調整部材
２８　　支持体
２９　　支持部材
３０　　支持取付部材
３１　　供給管
３２　　排出管
３３　　バルブ
３４　　取っ手
３５　　開口部
３６　　キャップ
３７　　連通孔
３８　　弁部材
３９　　供給口
４０　　制御装置
４１　　検知器
６０　　ブラシ
６１　　貫通穴
【図１】
2004024623.tif 000003
【図２】
2004024623.tif 000004
【図３】
2004024623.tif 000005
【図４】
2004024623.tif 000006
【図５】
2004024623.tif 000007
【図６】
2004024623.tif 000008